(57)【要約】【課題】電磁リレーを小型化する。【解決手段】ａ接点２およびｂ接点３を１組ずつ備え、それらがスライド変位するカード８に共通に駆動され、さらに２組の接点２，３が前記カード８のスライド方向（矢符８２方向およびその反対方向）とは直交方向に並んで配設され、それらの間に前記カード８のスライド方向に延びる絶縁隔壁４６が配設されて２組の接点２，３間が区画される電磁リレー１において、前記絶縁隔壁４６を、その外方端４６ｃから、内方側に可動接点端子２２が設けられるａ接点２側に、該ａ接点２を取り囲むように延設し、その延設部４６ｄに対応して、前記カード８は、該ａ接点２側の腕部８８で、可動接点端子２２からはみ出るオーバーハング部分を切り欠き、反対のｂ接点３側の腕部８９に比べて、距離Ｌだけ短縮する。したがって、ａ，ｂ１組ずつのリレーに小型化しても、絶縁を確保できる。【選択図】図１
2010198958.tif 000002
【特許請求の範囲】
【請求項１】
相互に逆の接点状態となる接点を少なくとも１組ずつ備え、前記各接点は、相互に対向する固定接点および可動接点から成り、接極子によってスライド変位させられるカードに前記可動接点が係合することで該可動接点が湾曲変形させられて固定接点と接触または離反するとともに、前記相互に逆の接点状態となる２組の接点が前記接極子から離間したカードの端部で、該カードのスライド方向とは交差方向に並んで配設され、それらの間には、絶縁隔壁が配設されて成る電磁リレーにおいて、
前記相互に逆の接点状態を実現するにあたって、該電磁リレーの内方側に可動接点が設けられる接点側に、前記２組の接点間を区画した前記絶縁隔壁が、その外方端から、該接点を取り囲むように延設され、
さらに前記カードが、該電磁リレーの内方側に可動接点が設けられる接点側で、オーバーハング部分が短縮されていることを特徴とする電磁リレー。
【請求項２】
前記接点が１ａ１ｂ構成の安全リレーであることを特徴とする請求項１記載の電磁リレー。
【請求項３】
前記請求項１または２記載の電磁リレーを用いることを特徴とする制御装置。
【発明の詳細な説明】
【技術分野】
【０００１】
本発明は、電磁リレーおよびそれを用いる制御装置に関し、特に前記電磁リレーは、いわゆる安全リレーと称されるものに関する。
【背景技術】
【０００２】
前記安全リレーは、開閉状態が相互に反対の接点、すなわちＮＯ（ノーマリーオープン（ａ））接点と、ＮＣ（ノーマリークローズ（ｂ））接点とを、共通の電磁石、接極子およびカードで駆動するものであり、一方の接点が溶着すると、前記カードが動かず、したがって他方の接点が開閉しなくなり、前記一方の接点の溶着を、前記他方の接点で検知できるようになっている。したがって、このような安全リレーは、安全性が高く、工作機械などを制御する制御装置では、複数段組合わせて用いられ、安全対策が行われている。
【０００３】
このような安全リレーは、これまで、たとえば本件出願人による特許文献１や特許文献２で示すような４接点、たとえば３ａ１ｂ、２ａ２ｂまたは１ａ３ｂで実現され、或いは、本件出願人による特許文献３で示すような６接点、たとえば５ａ１ｂや３ａ３ｂで実現されていた。これらは、ＩＳＯ１３８４９−１のカテゴリ３，４などで用いられる。
【０００４】
しかしながら、前記ＩＳＯ１３８４９−１のカテゴリ２のように、そのような多くの接点が要らない場合もあり、たとえば特許文献４で示すように、２接点の例も提案されている。ただし、この特許文献４によれば、３ａ１ｂまたは２ａ２ｂの４接点の内、２接点にするには、コイル側を残し、すなわち１ａ１ｂまたは２ａで２接点を構成している。
【先行技術文献】
【特許文献】
【０００５】
【特許文献１】国際公開第０６−００６５５７号パンフレット
【特許文献２】特開２０００−２８５７８２号公報
【特許文献３】特開２００６−１９６３８１号公報
【特許文献４】特開平１１−３３９６２４号公報
【発明の概要】
【発明が解決しようとする課題】
【０００６】
図５に特許文献４のリレーの縦断面図を、図６には水平方向の断面図を、図７には図５および図６において切断面線VII−VIIで示す縦断面図を示す。カード１０１の一部を切り欠いて示す図７からは、このリレー１０２は、１ａ１ｂの接点を有するものと思われ（ａ接点を参照符号１０３、ｂ接点を参照符号１０４で示す）、それらのａ，ｂ接点間の絶縁距離を確保するために、支持体１０５は、図８や図９で示すように構成されている。それによれば、前記接点１０３，１０４を収納する空間１０３ａ，１０４ａが、絶縁隔壁１０６によって分離されている。
【０００７】
ここで、絶縁距離は、ＩＥＣ６０６６４−１にて規定されている。それによると、空間距離は、「汚染度」と「過電圧カテゴリ」とによって、沿面距離は、「汚染度」と材料の「ＣＴＩ値」とによって決定される。たとえば、強制ガイドや接点溶着時の接点ギャップなどを規定するＥＮ５０２０５で要求される安全リレーの規格に準拠したスリムタイプの安全リレーで、１ａ１ｂ接点の場合の前記空間距離および沿面距離の算出方法を示す。
（１）該安全リレーは使用環境から過電圧カテゴリIIIであり、発生する衝撃電圧は前記ＩＥＣ６０６６４−１の表より、ＡＣ４０００Ｖと規定される。
（２）ＮＯ接点とＮＣ接点とは、それぞれ高圧、低圧として使用される（可能性がある）ことから、強化絶縁とする。
（３）１ａ１ｂの該安全リレーの汚染度は３である。
（４）使用材料のＣＴＩ値はIIIである。
【０００８】
以上から、強化絶縁時の絶縁距離は、前記ＩＥＣ６０６６４−１の表より、空間距離は５．５ｍｍ、沿面距離は８．０ｍｍとなる。
【０００９】
したがって、特許文献４の場合、２接点が２ａで構成される場合、基礎絶縁で、支持体１０５には、図８で示すものを用いることができる。しかしながら、使用頻度の少ない２ａ接点に比べて、使用頻度が圧倒的に多く、安全リレーを実現する前記１ａ１ｂ接点の場合には、前記強化絶縁で、支持体１０５には、図９で示すように、絶縁隔壁１０６が、参照符号１０７で示すように、その外方端で、各接点１０３，１０４を取り囲むように互いに離反方向に延設されたものを用い、これによって前記絶縁距離を確保する必要がある。したがって、図９で示す支持体を用いるリレーでは、図８で示す支持体を用いるリレーに比べて、絶縁隔壁１０７相当分だけ長さが長くなる。なお、最少限の１ａ１ｂ接点の例について説明したが、上記の問題は、前記３ａ１ｂや５ａ１ｂのように、相互に異なる極性のａ，ｂ接点が絶縁隔壁を挟んで並んで配設される場合に生じる。
【００１０】
本発明の目的は、絶縁隔壁を挟んで異極の接点が配置されるリレーにおいて、より小型化することができる電磁リレーおよびそれを用いる制御装置を提供することである。
【課題を解決するための手段】
【００１１】
本発明の電磁リレーは、相互に逆の接点状態となる接点を少なくとも１組ずつ備え、前記各接点は、相互に対向する固定接点および可動接点から成り、接極子によってスライド変位させられるカードに前記可動接点が係合することで該可動接点が湾曲変形させられて固定接点と接触または離反するとともに、前記相互に逆の接点状態となる２組の接点が前記接極子から離間したカードの端部で、該カードのスライド方向とは交差方向に並んで配設され、それらの間には、絶縁隔壁が配設されて成る電磁リレーにおいて、前記相互に逆の接点状態を実現するにあたって、該電磁リレーの内方側に可動接点が設けられる接点側に、前記２組の接点間を区画した前記絶縁隔壁が、その外方端から、該接点を取り囲むように延設され、さらに前記カードが、該電磁リレーの内方側に可動接点が設けられる接点側で、オーバーハング部分が短縮されていることを特徴とする。
【００１２】
上記の構成によれば、いわゆる安全リレーなどとして実現され、相互に逆の接点状態となる常開および常閉、すなわちａ，ｂの接点を少なくとも１組ずつ備え、前記各接点は、相互に対向する固定接点および可動接点から成り、電磁石によって駆動される接極子によってスライド変位させられるカードに前記可動接点が係合することで該可動接点が湾曲変形させられて固定接点と接触または離反するとともに、前記相互に逆の接点状態となる２組の接点が前記接極子から離間したカードの端部で、該カードのスライド方向とは交差方向に並んで配設され（１ａ１ｂ、３ａ１ｂ、５ａ１ｂ等で、ｂ接点とａ接点との組が接極子から離間して配置され）、それらの間には、前記カードのスライド方向に延びる絶縁隔壁が配設されて成る電磁リレーにおいて、前記相互に逆の接点状態を実現するためには、固定接点に対して、可動接点は前記カードのスライド方向の一方側と他方側とに設けられることになる。そこで、それらの接点の内、該電磁リレーの内方側に可動接点が設けられる接点側で、前記２組の接点間を区画した前記絶縁隔壁を、その外方端から、該接点を取り囲むように延設し、これに対応して、前記カードは、該接点側で、可動接点からはみ出るオーバーハング部分を切り欠いて短縮しておく。
【００１３】
したがって、前記絶縁隔壁を前記相互に逆の接点状態となる２組の接点間から延設することで、ａ接点とｂ接点とが絶縁隔壁を挟んで並んで配設されるリレーであっても、異極間の空間距離を確保して、絶縁を確保することができる。また、その絶縁隔壁の延設を、２組の接点それぞれを取り囲むように行うのではなく、内方側に可動接点が設けられる接点側だけとし、さらにその絶縁隔壁の延設される領域だけ、カードを切り欠いておくので、前記絶縁隔壁の延設による大型化を抑えることができる。こうして、絶縁隔壁を挟んで異極の接点が配置される場合であっても、小型で、充分な性能を有する安全リレーを実現することができる。
【００１４】
また、本発明の電磁リレーでは、前記接点が１ａ１ｂ構成の安全リレーであることを特徴とする。
【００１５】
上記の構成によれば、接点が１ａ１ｂ構成であれば、元々リレー自体が小型であり、前記のカードの切り欠きによる全長の短縮効果は大きく、さらに安全リレーは高い絶縁性能が要求されるので、好適である。
【００１６】
さらにまた、本発明の制御装置は、前記の電磁リレーを用いることを特徴とする。
【００１７】
上記の構成によれば、工作機械やラインなどを制御する制御装置に、上記の電磁リレーを安全リレーとして用いることで、該制御装置を小型化することができる。
【発明の効果】
【００１８】
本発明の電磁リレーは、以上のように、いわゆる安全リレーなどとして実現され、ａ，ｂの接点を少なくとも１組ずつ備え、各接点が接極子から離間して、カードのスライド方向とは交差方向に並んで配設される電磁リレーにおいて、前記接点間に設けられる絶縁隔壁を内方側に可動接点が設けられる接点側に巻き込むように延設し、これに対応して、前記カードは、その接点側で、可動接点からはみ出るオーバーハング部分を切り欠いて短縮しておく。
【００１９】
それゆえ、ａ接点とｂ接点とが絶縁隔壁を挟んで並んで配設されるリレーであっても、異極間の空間距離を確保して、絶縁を確保することができるとともに、絶縁隔壁の延設による大型化を抑えることができ、小型で、充分な性能を有する安全リレーを実現することができる。
【００２０】
さらにまた、本発明の制御装置は、以上のように、前記の電磁リレーを安全リレーとして用いる。
【００２１】
それゆえ、該制御装置を小型化することができる。
【図面の簡単な説明】
【００２２】
【図１】本発明の実施の一形態に係る電磁リレーの分解斜視図である。
【図２】図１の組立て状態を示す斜視図である。
【図３】図２の平面図である。
【図４】前記電磁リレーの動作を説明するための縦断面図である。
【図５】典型的な従来技術のリレーの縦断面図である。
【図６】図５の水平方向断面図である。
【図７】図５および図６の切断面線VII−VIIから見た縦断面図である。
【図８】前記図５〜図７で示すリレーにおける支持体（ベース）の一構造例を示す斜視図である。
【図９】前記図５〜図７で示すリレーにおける支持体（ベース）の他の構造例を示す斜視図である。
【発明を実施するための形態】
【００２３】
以下、本発明を添付の図面を参照しながら詳細に説明する。なお、以下の説明において、上下方向は、図１を基準として述べる。図１は本発明の実施の一形態に係る電磁リレー１の分解斜視図であり、図２はその組立て状態を示す斜視図であり、図３は図２の平面図である。この電磁リレー１は、ａ（常開：ＮＯ）接点２と、ｂ（常閉：ＮＣ）接点３とを１つずつ備えた最少限の接点構成の安全リレーである。以下、便宜上、前記接点２，３の配列方向を左右方向とする。この電磁リレー１は、大略的に、ボディ４と、電磁石ブロック５と、接極子ブロック６と、復帰ばね７と、カード８と、カバー９と、前記接点２，３とを備えて構成される。
【００２４】
前記ボディ４は、絶縁性および難燃性を有するＰＢＴ等の成形品などから成り、一端に電磁石ブロック５を搭載する長手状のベース４１と、前記ベース４１の略中央部に立設される一対の側壁４２，４３と、前記側壁４２，４３の電磁石ブロック５側を連結して補強する連結部材４４と、前記側壁４２，４３の接点２，３側を連結する絶縁隔壁４５と、前記絶縁隔壁４５の中央部から延設され、前記接点２，３を区画する絶縁隔壁４６と、前記ベース４１の他端側で前記接点２，３を保持する端子台４７とを備えて構成される。そして、前記側壁４２，４３および絶縁隔壁４５で区画された領域内に、前記接極子ブロック６および復帰ばね７が収容され、端子台４７に各接点２，３の端子２１，２２；３１，３２が植設され、絶縁隔壁４５上をカード８がスライド変位する。
【００２５】
図４は、この電磁リレー１の縦断面図である。なお、前記カバー９は省略している。この図４によれば、前記電磁石ブロック５および接極子ブロック６の構造が明らかである。それによれば、該電磁石ブロック５は、コイル５１と、そのコイル５１を巻回したスプール５２と、スプール５２の中心孔に挿入されるとともに、略Ｌ字形のヨーク５４，５５を有する鉄心５３と、前記スプール５２の下方側のフランジ部５２ａに立設される一対のコイル端子５６とを備えて構成される。前記各コイル端子５６の上部側には、前記コイル５１の各端部が接続され、下部側は前記ベース４１に圧入されて端子として外部へ突出している。
【００２６】
前記接極子ブロック６は、プラスチック成形品のサブカード６１と、軟鉄などから成る可動板６２と、直方体形状の永久磁石６３とを備えて構成される。可動板６２は、矩形平板状に形成され、サブカード６１に接着される。永久磁石６３は、可動板６２の表面に固定される。図１および図２で示すように、サブカード６１の左右両側面には一対のピン６４が立設され、このピン６４がベース４１の側壁４２，４３に形成された孔４８にそれぞれ嵌まり込むことで、該接極子ブロック６は、矢符６９およびその逆方向に揺動変位自在に保持される。この接極子ブロック６がベース４１に装着されると、可動板６２の上端部が電磁石ブロック５の上側のヨーク５４と対向し、下端部が電磁石ブロック５の下側のヨーク５５と対向する。前記サブカード６１の上端部からは、舌片６５が延設されており、この舌片６５がカード８に形成された係合孔８１に係合することで、前記カード８の矢符８２およびその逆方向への変位駆動が可能になる。
【００２７】
復帰ばね７は、弾性を有する薄肉の金属板の打ち抜きおよび曲折によって図１で示すように略Ｙ字形に形成されて成り、折畳み（重ね合わせ）によって剛性が高められた下端部７１が、図４で示すように接極子ブロック６と絶縁隔壁４５との間でベース４１に圧入され、二股の上端部７３，７４の先端部７５，７６が、カード８の復帰ばね孔８３，８４に挿入されることで、カード８は前記矢符８２とは反対方向に、しかも矢符８５で示すヨー方向の回転が発生しないように、弾発的に付勢される。
【００２８】
前記接点２，３は、対を成す固定接点端子２１，３１と、可動接点端子２２，３２とを備えて構成される。これらの端子２１，２２；３１，３２は、弾性を有する薄肉の金属板を打ち抜き、大略的に側面視でクランク状に曲折されて成り、その曲折部分２１ａ，２２ａ；３１ａ，３２ａの内、可動接点端子２２，３２側は、剛性を高めるために、前記金属板を折り重ねて２重に形成されている。そして、前記ベース４１の他端側において、両側部に形成された取付け溝４９に前記曲折部分２１ａ，２２ａ；３１ａ，３２ａが圧入され、さらに接着剤で固定されることで、該端子２１，２２；３１，３２の前記ヨー方向８５での回転が抑えられ、相互に平行に対向するように植設される。これらの端子２１，２２；３１，３２の下端部２１ｂ，２２ｂ；３１ｂ，３２ｂは前記ベース４１から突出することでリレー端子となり、弾発性を有する上腕部２１ｃ，２２ｃ；３１ｃ，３２ｃの先端付近には、接点部材２１ｄ，２２ｄ；３１ｄ，３２ｄがかしめ固定されている。
【００２９】
前記固定接点端子２１，３１には、剛性を持たせるために、前記上腕部２１ｃ，２２ｃにおいて、接点部材２１ｄ，３１ｄの下方部分にはリブ２１ｅ，３１ｅが形成されており、可動接点端子２２，３２の押圧による撓みを、ベース４１側の基端部分で発生させることで、これらの接点部材２１ｄ，２２ｄ；３１ｄ，３２ｄが略平行に接触するように構成されている。一方、前記可動接点端子２２，３２の上腕部２２ｃ，３２ｃにおいて、ベース４１側の部分には、スリット２２ｅ，３２ｅが形成され、撓み易くなっている。このスリット２２ｅ，３２ｅは、特に設けられなくてもよい。そして、前記絶縁隔壁４６で区画された接点２，３の収納空間において、接触している接点部材２１ｄ，２２ｄ；３１ｄ，３２ｄの開放（離反）を補助するとともに、溶着時に接点ギャップを０．５ｍｍ以上確保できるように、また復帰ばね７が折れた際の短絡防止のために、端子２１，２２；３１，３２間には、切離し用の絶縁隔壁４０がベース４１から立設されている。
【００３０】
そして、前記コイル５１の非通電時には、前記カード８は、復帰ばね７の弾発力によって、電磁石ブロック５側、すなわち矢符８２とは反対方向に変位されており、通電によって矢符８２方向に変位し、そのスライド方向と直交する一線上に、固定接点端子２１と可動接点端子３２とが、また可動接点端子２２と固定接点端子３１とが、それぞれ配設される。加えて、ｂ（常閉：ＮＣ）接点３側では、固定接点端子３１が内方に、可動接点端子３２が外方に配置され、反対にａ（常開：ＮＯ）接点２側では、可動接点端子２２が内方に、固定接点端子２１が外方に配置され、前記可動接点端子２２，３２の上腕部２２ｃ，３２ｃの先端部は、前記カード８の係止孔８６，８７に係止する舌片２２ｆ，３２ｆとなっている。
【００３１】
前記カード８は、大略的に、Ｕ字状に形成され、上述のサブカード６１への係合孔８１および左右一対の復帰ばね孔８３，８４がそのＵ字の連結部８０に、左右一対の前記係止孔８６，８７がＵ字の腕部８８，８９側に形成される。このカード８は、上述のように、サブカード６１の舌片６５、復帰ばね７の先端部７５，７６および可動接点端子２２，３２の舌片２２ｆ，３２ｆによって搭載支持される。そして、前記腕部８８，８９の基端側の裏面に接触しないように前記絶縁隔壁４５の上端面４５ａの高さが、該腕部８８，８９の内側対向面８８ｃ，８９ｃから形成された垂下片８８ａ，８９ａの下端面８８ｂ、８９ｂに接触しないように前記絶縁隔壁４６の上端側に形成された段差面４６ａの高さが、それぞれ設定されている。
【００３２】
また、前記スライド変位の案内としては、以下の２点が行われている。先ず、前記垂下片８８ａ，８９ａ間に前記絶縁隔壁４６の上端部４６ｂを挟み込むとともに、前記腕部８８，８９の内側対向面８８ｃ，８９ｃ間に前記カバー９の天板９１から垂下して形成されたガイド９１ａが挟み込まれる。次に、前記ガイド９１ａの下端面９１ｂが、前記腕部８８，８９の内側対向面８８ｃ，８９ｃに垂下片８８ａ，８９ａを形成することで生じた段部８８ｄ，８９ｄに嵌り込む。
【００３３】
前記カバー９は、前記接点部材２１ｄ，２２ｄ；３１ｄ，３２ｄの開閉状態を確認可能なように、透明なパリカーボネートなどの樹脂成形品から成り、底面を開放した箱状に形成され、図２で示すようなボディ４上に各部品が組上がった状態で上方から被せられ、下端の内周面がベース４１と接着される。
【００３４】
上述のように構成される電磁リレー１において、コイル５１の非通電状態では、図２、図３および図４（ａ）で示すように、カード８を介する復帰ばね７の弾発力によって、接極子ブロック６は矢符６９方向にバイアスされ、これによってカード８は、矢符８２方向とは反対方向、すなわち電磁石ブロック５側にスライド変位しており、該カード８によって引っ掛けられている可動接点端子２２，３２も前記矢符８２方向とは反対方向、すなわち電磁石ブロック５側に湾曲変形させられる。これによって、ｂ（ＮＣ）接点３側が導通し、ａ（ＮＯ）接点２側が遮断している。
【００３５】
これに対して、コイル５１の通電状態では、図４（ｂ）で示すように、カード８を介する復帰ばね７の弾発力に抗して、接極子ブロック６は矢符６９方向とは反対方向に揺動し、カード８は矢符８２方向、すなわち電磁石ブロック５とは反対側にスライド変位しており、該カード８によって引っ掛けられている可動接点端子２２，３２も前記矢符８２方向、すなわち電磁石ブロック５とは反対側に湾曲変形させられる。これによって、ｂ（ＮＣ）接点３側が遮断し、ａ（ＮＯ）接点２側が導通する。
【００３６】
注目すべきは、本実施の形態では、上述のように相互に逆の接点状態となるａ（ＮＯ）接点２およびｂ（ＮＣ）接点３を１組ずつ備え、それらがスライド変位するカード８に共通に駆動され、さらに２組の接点２，３が前記カード８のスライド方向（矢符８２方向およびその反対方向）とは直交方向に並んで配設され、それらの間に前記カード８のスライド方向に延びる絶縁隔壁４６が配設されて２組の接点２，３間が区画される場合に、前記絶縁隔壁４６が、その外方端４６ｃから、内方側に可動接点端子２２が設けられるａ接点２側に、該ａ接点２を取り囲むように延設される延設部４６ｄを有するとともに、それに対応して、前記カード８は、該ａ接点２側の腕部８８で、可動接点端子２２からはみ出るオーバーハング部分が切り欠かれて、反対のｂ接点３側の腕部８９に比べて、距離Ｌだけ短縮されていることである。
【００３７】
したがって、ａ，ｂ１組ずつのリレーであっても、異極間の空間距離を確保して、絶縁を確保することができる。すなわち、可動接点端子３２の接点部材３２ｄから固定接点端子２１の接点部材２１ｄまでの前記空間距離は、前記延設部４６ｄが無い場合は、図３において参照符号Ｌ１で示すように、前記絶縁隔壁４６の外方端４６ｃを経由しただけの短い距離になってしまうのに対して、前記延設部４６ｄを設けることで、参照符号Ｌ２で示すように、前記延設部４６ｄを回り込んだ長い距離となる。ここで、透明なポリカーボネートなどの樹脂成形品から成るカバー９は規格上、難燃材と認められず、絶縁には寄与しないが、絶縁性および難燃性を有する材料から成るボディ４の絶縁隔壁４６および延設部４６ｄは、絶縁に寄与し、空間距離は上記のようになる。
【００３８】
なお、前述の特許文献４の図１０で示すようなａ，ｂ両接点１０３，１０４のそれぞれの側に延設された絶縁隔壁１０７を用いる方が、勿論、上述の空間距離を長くすることができるが、本実施の形態のように片側だけに延設部４６ｄを設けるだけでも、前記ＩＥＣ６０６６４−１の規格を充分に満足することができる。そして、その片側だけの延設部４６ｄに対応して、カード８の腕部８８を短くしておくことで、該電磁リレー１の長さＬ３を、実質、前記延設部４６ｄを設けないものと等しくすることができる。こうして、充分な性能を確保しつつ、接点数を最少にまで削減することによる小型化を着実に実現することができる。
【００３９】
なお、上述のような１ａ１ｂ構成の安全リレーの場合、接点が１ａ１ｂ構成であれば、元々リレー自体が小型であり、カード８の切り欠きによる前記長さＬ３の短縮効果は大きく、さらに安全リレーは前述のような高い絶縁性能が要求されるので、好適であるが、本発明は、３ａ１ｂや５ａ１ｂ等の相互に逆の接点状態となる２組の接点ａ，ｂを有し、それら異なる極性の接点ａ，ｂの組が前記接極子ブロック６から離間して（外方端で）、カード８のスライド方向とは交差方向（左右方向）に並んで配設されていれば、効果を発揮することができる。たとえば、３ａ１ｂの場合、電磁石ブロック５側が、左右共にａ接点となるが、外方がａ，ｂ接点となる。また、前記延設部４６ｄの延設に、カード８の腕部８８の短縮は、必ずしもａ（ＮＯ）接点側に限らない。すなわち、非励磁でカード８は外側にあってもよく（非励磁でカード８が押出しているか、引込んでいるかには関係ない）、ａ，ｂの接点動作を共通のカード８のスライド変位で実現するにあたって、可動接点が内方に設けられる方に絶縁隔壁４６を巻き込ませるとともに、カード８を短くすればよい。
【００４０】
このような安全リレーを工作機械やラインなどを制御する制御装置に用いることで、その制御装置を小型化することができ、好適である。
【符号の説明】
【００４１】
１    電磁リレー
２    ａ（常開：ＮＯ）接点
３    ｂ（常閉：ＮＣ）接点
２１，３１    固定接点端子
２２，３２    可動接点端子
２１ｃ，２２ｃ；３１ｃ，３２ｃ    上腕部
２１ｄ，２２ｄ；３１ｄ，３２ｄ    接点部材
２１ｅ，３１ｅ    リブ
２２ｅ，３２ｅ    スリット
４    ボディ
４０，４５，４６    絶縁隔壁
４１    ベース
４６ｃ  延設部
４７    端子台
５    電磁石ブロック
５１    コイル
５２    スプール
５３    鉄心
５４，５５    ヨーク
６    接極子ブロック
６１    サブカード
６２    可動板
６３    永久磁石
６５    舌片
７    復帰ばね
８    カード
８０    連結部
８１    係合孔
８３，８４    復帰ばね孔
８６，８７    係止孔
８８，８９    腕部
８８ａ，８９ａ    垂下片
９    カバー
９１    天板
９１ａ  ガイド
【図１】
2010198958.tif 000003
【図２】
2010198958.tif 000004
【図３】
2010198958.tif 000005
【図４】
2010198958.tif 000006
【図５】
2010198958.tif 000007
【図６】
2010198958.tif 000008
【図７】
2010198958.tif 000009
【図８】
2010198958.tif 000010
【図９】
2010198958.tif 000011